(57)【要約】【課題】ボード材を簡素な構造とすることにより、ボード材の製造工程を簡略化するとともにその製造コストを削減することができるパーティションを提供すること。【解決手段】複数の支柱でボードを支持することにより屋内を仕切るパーティションにおいて、少なくともボードを支持する部分を四角形状に形成した支柱１を床から天井にかけて立設するとともに、この支柱１の対向する柱面３に１対のボード材４を固定する。【選択図】　図１
2004137836.tif 000002
【特許請求の範囲】
【請求項１】
複数の支柱でボードを支持することにより屋内を仕切るパーティションにおいて、少なくともボードを支持する部分を四角形状に形成した支柱を床から天井にかけて立設するとともに、該支柱の対向する柱面に１対のボード材を固定したことを特徴とするパーティション。
【請求項２】
ボード材を支柱に面ファスナーを介して固定するようにしたことを特徴とする請求項１記載のパーティション。
【請求項３】
コーナ部で内側のボード材の側部同士を交差させ、該交差した側部先端を支柱の隣接する柱面に固定したことを特徴とする請求項１又は２記載のパーティション。
【請求項４】
ねじ部を備えたロッドを支柱本体に摺動可能に挿入し、該ロッドに螺合したナットにより支柱の高さを調節するようにしたことを特徴とする請求項１、２又は３記載のパーティション。
【請求項５】
支柱間に横桟を配設し、該横桟とボード材を固定するようにしたことを特徴とする請求項１、２、３又は４記載のパーティション。
【発明の詳細な説明】
【０００１】
【発明の属する技術分野】
本発明は、パーティションに関し、特に、ボード材を簡素な構造とすることにより、ボード材の製造工程を簡略化するとともにその製造コストを削減することができるパーティションに関するものである。
【０００２】
【従来の技術】
パーティションは、一般的にスチール等の金属製や合板を使用した木製のものによって構成されている。
これらは組み立てに専門的な技術者を必要とするとともに、重いために部材自体の取扱いも容易ではなく、さらに、解体後の廃棄作業は細分化に手間がかかるという問題を有している。
【０００３】
このような問題に対処するために、ボード材として段ボールを使用し、ある程度の厚みを確保した紙製のボードを壁板として組み立てるパーティションが提案されている。
このパーティションは、ボード材をハニカムコアと紙板とからなる紙製ハニカムにより構成し、ボードの側端を嵌入させる溝を備えた支柱と組み合わせることによりパーティションを組み立てている。
【０００４】
【発明が解決しようとする課題】
しかしながら、上記従来のパーティションは、ボード材自体で厚みや強度を確保するために、ボード材をハニカムコアと紙板とからなる紙製ハニカムにより構成していることから、ボード材の製造工程が複雑になるとともに、製造コストも上昇するという問題点を有している。
【０００５】
本発明は、上記従来のパーティションが有する問題点に鑑み、ボード材を簡素な構造とすることにより、ボード材の製造工程を簡略化するとともにその製造コストを削減することができるパーティションを提供することを目的とする。
【０００６】
【課題を解決するための手段】
上記目的を達成するため、本発明のパーティションは、複数の支柱でボードを支持することにより屋内を仕切るパーティションにおいて、少なくともボードを支持する部分を四角形状に形成した支柱を床から天井にかけて立設するとともに、該支柱の対向する柱面に１対のボード材を固定したことを特徴とする。
【０００７】
このパーティションは、少なくともボードを支持する部分を四角形状に形成した支柱を床から天井にかけて立設するとともに、該支柱の対向する柱面に１対のボード材を固定することから、支柱の厚みでボードの厚みと強度を確保することができ、これにより、ボード材を簡素な構造として、ボード材の製造工程を簡略化するとともにその製造コストを削減することができる
【０００８】
この場合において、ボード材を支柱に面ファスナーを介して固定することができる。
【０００９】
これにより、パーティションの組み立てや位置調節を簡単に行うことができる。
【００１０】
また、コーナ部で内側のボード材の側部同士を交差させ、該交差した側部先端を支柱の隣接する柱面に固定することができる。
【００１１】
これにより、コーナ部においてもボードの形状を保持するとともに、ボード材をの側部を交差させることによりボードの強度を向上させることができる。
【００１２】
また、ねじ部を備えたロッドを支柱本体に摺動可能に挿入し、該ロッドに螺合したナットにより支柱の高さを調節することができる。
【００１３】
これにより、支柱の高さを調節し、床から天井に突っ張るように支柱を容易に立設することができる。
【００１４】
また、支柱間に横桟を配設し、該横桟とボード材を固定することができる。
【００１５】
これにより、ボードをはじめとして、パーティション全体の強度を向上させることができる。
【００１６】
【発明の実施の形態】
以下、本発明のパーティションの実施の形態を図面に基づいて説明する。
【００１７】
図１〜図１４に、本発明のパーティションの一実施例を示す。
このパーティションは、図１〜図３に示すように、複数の支柱１、具体的には、ボード２の両側部に立設した２本の支柱１によって、ボード２を支持することにより、屋内（室内を含む）を仕切るようにしている。
そして、支柱１は、少なくともボード２を支持する部分を四角形状に形成し、これを床から天井にかけて立設するとともに、支柱１の対向する柱面３に１対のボード材４を固定するようにしている。
ところで、本実施例において、ボード材４は、支柱１に、面ファスナー５を介して固定するようにしている。
そして、支柱１が位置するコーナ部の内側においては、複数の切り欠き４２が側部４１に高さを交互に違えて形成されている内側のボード材４の側部４１同士を交差させ、該交差した側部４１先端を支柱１の隣接する柱面３に固定するようにしている。
一方、支柱１が位置するコーナ部の外側においては、切り欠きが形成されていない外側のボード材４を支柱１の隣接する柱面３に固定するようにしている。
ここで、外側のボード材４は、支柱１が位置するコーナ部の角部まで到達しないことから、これらのボード材４の間で支柱１が露出しないように、この部分に、図６に示すような、例えば、樹脂製のアングル材６を目隠しとして配設するようにしている。
また、図１及び図７に示すように、支柱１間には横桟７が配設されており、ボード材４はこの横桟７とも面ファスナー５を介して固定されている。
なお、１対の対向するボード材４に夾まれた空間は、そのまま空気層とするほか、断熱材等の各種部材を充填することができる。
また、この空間の下部には、床面上に角材等の木材からなる下地材２４を配設し、ボード材４の表面側に必要に応じて配設する巾木（図示省略）を釘によって固定することができるようにする。
【００１８】
ボード材４は、１０ｍｍ厚程度の段ボール等からなり、図１及び図５に示すように、内側の交差するボード材４は、複数の切り欠き４２が側部４１に高さを交互に違えて形成されている。
このため、ボード材４には、図４に示すような切り欠きのないボード材４と、図５に示すような側部４１に切り欠き４２を形成したボード材４を、併用することが望ましい。
また、ボード材４の上下部には、図１及び図１４に示すように、断面略コ字状の長尺のキャップ部材８が外嵌されるとともに、ボード材４の表面には、必要に応じて、例えば、ビニールクロス等の化粧材が施される。
【００１９】
支柱１は、図３及び図８〜図９に示すように、四角筒の中心に円筒部を備えた支柱本体９を備え、この支柱本体９の柱面３にはスリット１０が形成されるとともに、該スリット１０の両側にフランジ１１が形成されている。
支柱本体９には、ねじ部を備えたロッド１２が円筒部に摺動可能に挿入され、該ロッド１２に螺合したナット１３によりその高さを調節するように構成されている。
ロッド１２の下端には、図１０に示すような床固定部材１４が配設されるとともに、ロッド１２の下部には、下部支柱１５が嵌挿されて、ロッド１２及び下部支柱１５に形成したピン孔１２ａ、１５ａに挿通されるピン２１により接続されている。
なお、床固定部材１４は、床固定部材１４に形成した釘孔１４ａに挿通される釘１９により、床に固定するようにされている。
また、支柱本体９の上端には、図１１に示すような天井固定部材１６が嵌挿されて、天井固定部材１６及び支柱本体９に形成したピン孔１６ａ、９ａに挿通されるピン２２により接続されている。
なお、天井固定部材１６は、天井固定部材１６に形成した釘孔１６ｂに挿通される釘２０により、天井に固定するようにされている。この場合、天井が石膏ボード等で構成されていても釘２０が利くように、釘孔１６ｂは、傾斜して形成するようにする。
【００２０】
横桟７は、図１２に示すように、支柱本体９と同形の横桟本体１７の一端に、ねじ部を備えたロッド１２が内部に摺動可能に挿入され、該ロッド１２に螺合したナット１３によりその長さを調節するように構成されている。
ロッド１２の先端には、図１３に示すように、支柱本体９のフランジ１１に係止する係止部材１８が配設されるとともに、この係止部材１８とで支柱本体９のフランジ１１を挟着するナット１３が螺合している。
また、横桟本体１７のもう一方の端部には、係止部材１８とナット１３を備えたロッド１２が、横桟本体１７及びロッド１２に形成したピン孔１７ａ、１２ａに挿通されるピン２３により接続されている。
【００２１】
かくして、本実施例のパーティションでは、四角形状の支柱１を床から天井にかけて立設するとともに、該支柱１の対向する柱面３に１対のボード材４を固定することから、支柱１の厚みでボード２の厚みと強度を確保することができ、これにより、ボード材４を簡素な構造として、ボード材４の製造工程を簡略化するとともにその製造コストを削減することができる。
そして、ボード材４を支柱１に面ファスナー５を介して固定することにより、パーティションの組み立てや位置調節を簡単に行うことができ、また、コーナ部で内側のボード材４の側部４１同士を交差させ、該交差した側部４１先端を支柱１の隣接する柱面３に固定することにより、コーナ部においてもボード２の形状を保持するとともに、ボード材４をの側部４１を交差させることによりボード２の強度を向上させることができる。
また、ねじ部を備えたロッド１２を支柱本体９に摺動可能に挿入し、該ロッド１２に螺合したナット１３により支柱１の高さを調節することにより、支柱１を床から天井に突っ張るように容易に立設することができる。
また、支柱１間に横桟７を配設し、該横桟７とボード材４を固定することにより、ボード２をはじめとして、パーティション全体の強度を向上させることができる。
【００２２】
以上、本発明の実施例を説明したが、本発明のパーティションの構成は、この実施例の記載に限定されるものではなく、例えば、支柱１にボード材４を固定する方法として、上記実施例の面ファスナー５を介して固定することに代えて、図１５〜図１７に示す変形実施例のように、ボード材４を、支柱本体９の柱面３と、支柱本体９の柱面３に形成されたスリット１０に嵌入した発泡樹脂製の嵌入部材２５にビス２７により取り付けるようにしたカバー部材２６との間に挟持、固定する方法を採用する等、その趣旨を逸脱しない範囲において適宜に変更することが可能である。
【００２３】
【発明の効果】
本発明のパーティションによれば、少なくともボードを支持する部分を四角形状に形成した支柱を床から天井にかけて立設するとともに、該支柱の対向する柱面に１対のボード材を固定することから、支柱の厚みでボードの厚みと強度を確保することができ、これにより、ボード材を簡素な構造として、ボード材の製造工程を簡略化するとともにその製造コストを削減することができる。
【００２４】
また、ボード材を支柱に面ファスナーを介して固定することにより、パーティションの組み立てや位置調節を簡単に行うことができる。
【００２５】
また、コーナ部で内側のボード材の側部同士を交差させ、該交差した側部先端を支柱の隣接する柱面に固定することにより、コーナ部においてもボードの形状を保持するとともに、ボード材をの側部を交差させることによりボードの強度を向上させることができる。
【００２６】
また、ねじ部を備えたロッドを支柱本体に摺動可能に挿入し、該ロッドに螺合したナットにより支柱の高さを調節することにより、支柱を床から天井に突っ張るように容易に立設することができる。
【００２７】
また、支柱間に横桟を配設し、該横桟とボード材を固定することにより、ボードをはじめとして、パーティション全体の強度を向上させることができる。
【図面の簡単な説明】
【図１】本発明のパーティションの一実施例を示す分解斜視図である。
【図２】同実施例のパーティションを示す斜視図である。
【図３】同パーティションのコーナ部を示す部分断面図である。
【図４】ボード材の一例を示し、（ａ）は平面図、（ｂ）は正面図である。
【図５】ボード材の一例を示し、（ａ）は平面図、（ｂ）は正面図である。
【図６】アングル材を示し、（ａ）は正面図、（ｂ）は平面図である。
【図７】支柱と横桟を示す分解斜視図である。
【図８】支柱の断面図である。
【図９】支柱本体を示し、（ａ）は正面図、（ｂ）は平面図である。
【図１０】床固定部材を示し、（ａ）は正面図、（ｂ）は平面図である。
【図１１】天井固定部材を示し、（ａ）は正面断面図、（ｂ）は正面図、（ｃ）は側面図、（ｄ）は底面図である。
【図１２】横桟の断面図である。
【図１３】横桟のロッドを示し、（ａ）は正面図、（ｂ）は平面図である。
【図１４】キャップ部材を示し、（ａ）は一部切り欠き側面図、（ｂ）は正面図である。
【図１５】支柱にボード材を固定する方法の変形実施例を示す説明図である。
【図１６】同固定する方法に用いる嵌入部材を示し、（ａ）は平面図、（ｂ）は正面図である。
【図１７】同固定する方法に用いるカバー部材を示し、（ａ）は平面図、（ｂ）は正面図である。
【符号の説明】
１　　支柱
２　　ボード
３　　柱面
４　　ボード材
４１　側部
４２　切り欠き
４３　切り込み
５　　面ファスナー
６　　アングル材
７　　横桟
８　　キャップ部材
９　　支柱本体
１０　スリット
１１　フランジ
１２　ロッド
１３　ナット
１４　床固定部材
１５　下部支柱
１６　天井固定部材
１７　横桟本体
１８　係止部材
１９　釘
２０　釘
２１　ピン
２２　ピン
２３　ピン
２４　下地材
２５　嵌入部材
２６　カバー部材
２７　ビス
【図１】
2004137836.tif 000003
【図２】
2004137836.tif 000004
【図３】
2004137836.tif 000005
【図４】
2004137836.tif 000006
【図５】
2004137836.tif 000007
【図６】
2004137836.tif 000008
【図７】
2004137836.tif 000009
【図８】
2004137836.tif 000010
【図９】
2004137836.tif 000011
【図１０】
2004137836.tif 000012
【図１１】
2004137836.tif 000013
【図１２】
2004137836.tif 000014
【図１３】
2004137836.tif 000015
【図１４】
2004137836.tif 000016
【図１５】
2004137836.tif 000017
【図１６】
2004137836.tif 000018
【図１７】
2004137836.tif 000019